(57)【要約】静電容量式スタイラスおよびその使用方法。本出願によるスタイラスは、ユーザの指に嵌合するようになされた指嵌合部分を含む。さらに、スタイラスはユーザの指の先端を超えて延びるようになされた延長部分を含む。導電性接触面が指の先端を超えて配設されて、静電容量式タッチパネルに接触可能にする。接触面と指嵌合部分との間に、その間の電気的連絡を確立する導電路を含む。接触面は、それと接触するとき、およびスタイラスがユーザの指に取り付けられたとき、静電容量式タッチパネルの静電容量式センサに作用するのに十分な寸法となる。
2014530432.tif 000002
【特許請求の範囲】
【請求項１】
静電容量式タッチパネルの静電容量式センサに作用することによって、静電容量式タッチパネルを操作するための静電容量式タッチパネル用指取り付け可能なスタイラスであって、
前記スタイラスが静電容量式タッチパネルで使用するために指に取り付けられるとき、指に嵌合するように構成されている指嵌合部分と、
前記スタイラスが指に取り付けられたときに、指の先端を超えて延びるように構成されている延長部分と、
前記静電容量式タッチパネルを操作するために静電容量式タッチパネルに接触するように構成されている、前記延長部分の先端部にある導電性接触面と、
前記スタイラスが指に取り付けられたとき、および前記接触面が静電容量式タッチパネルに接触して静電容量式タッチパネルを操作するときに、静電容量式タッチパネルと指との間に電気的連絡を確立するために、接触面と指嵌合部分との間の導電路と、
を備える指取り付け可能なスタイラス。
【請求項２】
前記接触面が前記静電容量式タッチパネルに接触するときに、前記接触面が静電容量式タッチパネルの静電容量式センサに作用するのに十分な面積をもつことを特徴とする、請求項１に記載のスタイラス。
【請求項３】
前記接触面の面積が約０．４ｍｍ２以上であることを特徴とする、請求項２に記載のスタイラス。
【請求項４】
前記接触面の面積が約１６ｍｍ２以上であることを特徴とする、請求項２に記載のスタイラス。
【請求項５】
前記接触面の面積が約２５ｍｍ２以下であることを特徴とする、請求項４に記載のスタイラス。
【請求項６】
前記接触面は、前記指の幅方向に対応する方向に延びている第１寸法を有することを特徴とする、請求項２に記載のスタイラス。
【請求項７】
前記接触面は、前記指の厚み方向に対応する方向に延びている第２寸法を有することを特徴とする、請求項６に記載のスタイラス。
【請求項８】
前記第１寸法は前記第２寸法より大きいことを特徴とする、請求項７に記載のスタイラス。
【請求項９】
前記第１寸法は３ｍｍから１２ｍｍの範囲であることを特徴とする、請求項８に記載のスタイラス。
【請求項１０】
前記第１寸法は４ｍｍから８ｍｍの範囲であることを特徴とする、請求項８に記載のスタイラス。
【請求項１１】
前記第２寸法は０．０７５ｍｍから５ｍｍの範囲であることを特徴とする、請求項８に記載のスタイラス。
【請求項１２】
前記第２寸法は１ｍｍから２．５ｍｍの範囲であることを特徴とする、請求項８に記載のスタイラス。
【請求項１３】
前記スタイラスが指に取り付けられたときに、前記延長部分は接触面を指の先端から０．５ｍｍ以上の距離だけ超えて先端方向に配設することを特徴とする、請求項１に記載のスタイラス。
【請求項１４】
前記スタイラスが指に取り付けられたときに、前記接触面は指の爪の露出した上面の対応する隣接部分の上に、前記第２寸法に対応する方向に約３ｍｍ以下だけ延びていることを特徴とする、請求項１３に記載のスタイラス。
【請求項１５】
前記スタイラスが指に取り付けられたときに、前記接触面は指の爪の露出した上面の対応する隣接部分の下に、前記第２寸法に対応する方向に約３ｍｍ以下だけ延びていることを特徴とする、請求項１４に記載のスタイラス。
【請求項１６】
前記接触面は変形可能であり、前記接触面は、前記静電容量式タッチパネルに接触して静電容量式タッチパネルを操作するときに、静電容量式タッチパネルの表面に適合して接触するように変形することを特徴とする、請求項１に記載のスタイラス。
【請求項１７】
前記導電路は、導電性金属、金属合金、金、銅、銀、アルミニウム、スチール、導電性ポリマー、導電性添加剤を含むポリマー、導電性塗料、導電性フィルム、導電性接着剤、導電性テープ、透明導電性酸化物およびそのあらゆる組み合わせからなる群から選択される材料を含むことを特徴とする、請求項１に記載のスタイラス。
【請求項１８】
前記スタイラスは基本的に導電性材料からなることを特徴とする、請求項１７に記載のスタイラス。
【請求項１９】
前記スタイラスは基本的に導電性ポリマーからなることを特徴とする、請求項１８に記載のスタイラス。
【請求項２０】
前記延長部分は、前記スタイラスが指に取り付けられたときに、前記接触面を指の爪の先端縁を超えて配設するように構成されていることを特徴とする、請求項１に記載のスタイラス。
【請求項２１】
前記接触面は指の爪の先端縁を約０．５ｍｍ以上超えて配設されていることを特徴とする、請求項２０に記載のスタイラス。
【請求項２２】
前記指嵌合部分は、前記スタイラスが指に取り付けられたときに、指の爪の露出した上面の少なくとも一部に装着するための装着面を備えることを特徴とする、請求項１に記載のスタイラス。
【請求項２３】
前記装着面は、前記スタイラスが指に取り付けられたときに、指の爪の露出した上面の略全部に接触することを特徴とする、請求項２２に記載のスタイラス。
【請求項２４】
前記指嵌合部分は、指に摺動装着するようになされた装着構造を備えることを特徴とする、請求項１に記載のスタイラス。
【請求項２５】
前記装着構造は指の少なくとも一部の周りに延びるような寸法にされており、前記装着構造は、前記スタイラスが指に取り付けられたときに、指を把持嵌合するようになされていることを特徴とする、請求項２４に記載のスタイラス。
【請求項２６】
前記装着構造は第１および第２の対向する弧状突起を含んでおり、前記第１および第２の対向する弧状突起のそれぞれが自由端部分を含んでおり、前記自由端部分は離間して対向していることを特徴とする、請求項２５に記載のスタイラス。
【請求項２７】
静電容量式タッチパネルの静電容量式センサに作用することによって前記静電容量式タッチパネルを操作するために、前記静電容量式タッチパネルとともに指取り付け可能なスタイラスを使用する方法であって、
導電性接触面が指の先端を超えて配設されている前記スタイラスを指に取り付けるステップと、
前記接触面を静電容量式タッチパネルに接触させるステップと、
前記静電容量式タッチパネルと指との間に電気的連絡を確立するステップと、
前記接触させるステップおよび確立するステップに反応して、前記静電容量式タッチパネルの静電容量式タッチセンサに作用するステップと、
前記作用に反応して、前記静電容量式タッチパネルを操作するステップと、
を含む方法。
【請求項２８】
前記取り付けるステップは、前記スタイラスの装着面を指の爪の少なくとも一部に装着するステップを含むことを特徴とする、請求項２７に記載の方法。
【請求項２９】
前記取り付けるステップは、装着構造を指の先端部分に摺動可能に嵌合するステップを含むことを特徴とする、請求項２７に記載の方法。
【請求項３０】
前記操作するステップは、前記接触面を前記静電容量式タッチパネルと接触状態に維持しながら、静電容量式タッチパネルに対して接触面を移動するステップを含み、移動中に前記静電容量式タッチパネルと指との間に電気的連絡を維持することを特徴とする、請求項２７に記載の方法。
【請求項３１】
前記指取り付け可能なスタイラスは請求項１に記載のものであることを特徴とする、請求項２７に記載の方法。
【発明の詳細な説明】
【技術分野】
【０００１】
本開示は、一般にタッチ感応パネル用スタイラスに関し、特にスタイラスを利用するユーザによる静電容量式タッチパネルの操作を容易にするためにユーザの指に嵌合するようになされた、静電容量式タッチパネル用スタイラスに関する。
【背景技術】
【０００２】
静電容量式タッチパネルは、多様な種類の電子機器（例、携帯電話、タブレットコンピュータ、ラップトップコンピュータ、コンピュータモニタ等）の入力機器として一般に使用されるようになってきた。静電容量式タッチパネルは、一般に絶縁体（例、ガラスまたは他の非導電性基板）によって隔てられる導体（例、透明導体）によって発生する静電場の変化を感知することによって動作する。導体の１つが外部の導電体に接触すると、静電容量式タッチパネルに作用する（つまり、導体および絶縁体によって発生する静電場が変わる）。静電場の変化は、静電容量の変化として測定される。例えば、静電容量の変化は、外部の導電体と静電容量式タッチパネルとの接触の発生および位置を判定し、それを入力として解釈できるように、静電容量式タッチパネルに設けられている電子機器によって検出することができる。しかしながら、導体の１つに非導電体が接触しても静電場は変わらず、したがって感知されない（つまり、静電容量式タッチセンサに作用しない）。静電容量式タッチパネルは実質的に透明なコンポーネントから構成することができるため、静電容量式タッチパネルはしばしばディスプレイと合わせて使用して、同時にディスプレイおよび入力機器として機能する静電容量式タッチスクリーンを生み出す。
【０００３】
人体は導体であるため、人の皮膚の接触は静電容量式タッチパネルの静電容量式センサに作用することができる（つまり、静電容量の変化が入力として解釈できる程十分に静電容量式センサの静電場を変える）。この点に関し、静電容量式タッチセンサの使用は、いくつかの他の種類のタッチパネル（例、抵抗膜式タッチパネル）の場合のようにセンサに作用するスタイラスまたは他の物の使用を必要としなくてもよい。
【０００４】
しかしながら、人の指の解剖学的形態は多様である。例えば、人によっては指が大きいことがある。したがって、静電容量式タッチスクリーンの場合、指を使用して静電容量式タッチスクリーンに接触するとき、ディスプレイの大きな部分がユーザの指で遮られるかもしれない。また、指の大きなユーザは、その人の指が、機器のグラフィカルユーザインターフェースで操作しようとする対象よりも大きい場合には、入力の一部としてスクリーンの所望の部分を選択するのが難しいことがある。
【０００５】
さらに、爪が指先の先端をかなり超えて伸びている人は、静電容量式タッチパネルを操作するのが難しいことがある。静電容量式タッチパネルに接触するユーザの指の爪の導電率および大きさ、あるいは静電容量式タッチパネルに接触するユーザの指の爪の導電率または大きさが静電容量式センサまたはタッチパネルに作用するには不十分であるかもしれず、したがってユーザは自分の指の爪を使って静電容量式センサを操作できない。例えば、ユーザの指の爪は導電性であっても、先端縁の指の爪の大きさが静電容量式タッチパネルによる反応を生じさせるのに不十分であるかもしれない。したがって、当該ユーザは指の先端よりも指腹を使用して静電容量式タッチパネルに接触しなければならない。よって、指の大きな人に関して上記取り上げられる問題は、ユーザの指腹はユーザの指の先端よりも実質的に大きいため、比較的爪の長い人が経験することがある。
【発明の概要】
【発明が解決しようとする課題】
【０００６】
静電容量式タッチパネル用静電容量式スタイラスを開発する試みが行われてきた。しかしながら、以前の静電容量式スタイラスには多数の欠点が存在する。例えば、旧来の筆記用具をまねたスタイラス機器が提案されている。そのため、ユーザは静電容量式タッチパネルで使用するために、このようなスタイラス機器を旧来の筆記用具のように持つことができる。しかしながら、静電容量式タッチパネルを採用する機器の多くのグラフィカルユーザインターフェースは、静電容量式タッチパネルを操作するために人の指または複数の指の使用を生かすように特別に設計されている。この点に関し、旧来の筆記用具のように持つスタイラスは、これらのグラフィカルユーザインターフェースを利用するユーザの能力を妨げることがある。例えば、グラフィカルユーザインターフェースの機能性は、静電容量式タッチパネルを操作するために人の指の使用を生かすように特別に設計されている（例、特別に設計されたキーボードのレイアウト、コントロール、メニュー等）。さらに、ユーザインターフェースは、ピンチ動作または他のマルチタッチジェスチャなどのタッチジェスチャを採用している。また、いくつかの当該スタイラスは、使用時にディスプレイのかなりの部分を遮られるラウンドチップ形状を含む。したがって、旧来の筆記用具のような形状のスタイラスは、ユーザの指を使って静電容量式タッチパネルを操作するように特別に設計されている特徴を生かすユーザの能力を制限しがちであり、しかもスクリーンを遮るという問題も受けやすい。
【課題を解決するための手段】
【０００７】
本明細書において、静電容量式タッチパネルを操作するためにスタイラスを使用することができるように、ユーザの指と嵌合するようになされたスタイラスを提示する。例えば、スタイラスは、静電容量式タッチスクリーンを画成するためにディスプレイと一体化されている静電容量式タッチパネルとインタラクトするために使用することができるため、スタイラスとしての機能性を維持しながらディスプレイの視覚表示を向上させるように、静電容量式タッチパネルに接触する。一実施形態では、スタイラスを装着するユーザの指は、スタイラスを使用せずに静電容量式タッチパネルを操作する指の位置と同様に（例、静電容量式タッチパネルに実質的に垂直）、スタイラスを使用するときに静電容量式タッチパネルに対して位置付けることができる。
【０００８】
スタイラスはユーザの指と嵌合するようになされた指嵌合部分と導電性接触面との間に電気的連絡を確立する導電路を含むことができる。したがって、スタイラスがユーザの指に取り付けられたとき、接触面と静電容量式タッチパネルの静電容量式センサとの間の接触が静電容量式センサに作用するため、接触を利用して静電容量式タッチパネルを操作できるようにする。静電容量式センサに作用するとは、静電容量の変化が入力として解釈できるように、十分な静電容量の変化を生じるように静電容量式センサの静電場を変えることを意味する。
【０００９】
本明細書で説明する一態様は、静電容量式タッチパネル用指取り付け可能なスタイラスを含む。スタイラスは、静電容量式タッチパネルの静電容量式センサをスタイラスを用いて作用させることによって、静電容量式タッチパネルを操作するために使用することができる。スタイラスは、静電容量式タッチパネルで使用するためにスタイラスを指に取り付けたとき、指と嵌合するように構成されている指嵌合部分を含む。スタイラスはさらに、スタイラスを指に取り付けたときに、指の先端を超えて延びるように構成されている延長部分を含む。スタイラスはさらに、延長部分の先端部に導電性接触面を含む。接触面は静電容量式タッチパネルと接触して静電容量式タッチパネルを操作するように構成されている。スタイラスはさらに、指に取り付けたとき、および接触面が静電容量式タッチパネルに接触して静電容量式タッチパネルを操作するときに、接触面と指嵌合部分との間において、静電容量式タッチパネルと指との間に電気的連絡を確立するための導電路を含む。
【００１０】
説明する別の態様は、静電容量式タッチパネルの静電容量式センサに作用することにより静電容量式タッチパネルを操作するために、静電容量式タッチパネルで指取り付け可能なスタイラスを使用する方法を含む。方法はスタイラスを指に取り付けるステップを含み、指の先端を超えて導電性接触面が配設されている。さらに、方法は接触面を静電容量式タッチパネルに接触させるステップと、静電容量式タッチパネルと指との間に電気的連絡を確立するステップとを含む。方法はさらに、接触および確立動作に反応して、静電容量式タッチパネルの静電容量式タッチセンサに作用するステップを含む。また、方法は、作用に反応して静電容量式タッチパネルを操作するステップを含む。
【００１１】
多数の特徴の改良および追加の特徴が、本明細書で提示する態様に適用可能である。これらの特徴の改良および追加の特徴は、個別にまたはあらゆる組み合わせで使用することができる。そのため、これから説明する以下の特徴はそれぞれ、本明細書で提示する態様の他の特徴または特徴の組み合わせとともに使用することができるが、そうする必要はない。
【００１２】
例えば、一実施形態では、接触面は、静電容量式タッチパネルと接触するときに、静電容量式タッチパネルの静電容量式センサに作用するのに十分な面積を有する。一実施形態では、接触面の面積は約０．４ｍｍ２以上にすることができる。一実施形態では、接触面は約１６ｍｍ２以上にすることができる。一実施形態では、接触面の面積は約２５ｍｍ２以下にすることができる。いくつかの実施形態では、接触面は約１ｍｍ２、５ｍｍ２、７ｍｍ２、９ｍｍ２、１０ｍｍ２、１２ｍｍ２、１５ｍｍ２またはさらには１８ｍｍ２以上の面積にすることができる。一実施形態では、接触面の面積は約２５ｍｍ２以下にすることができる。いくつかの実施形態では、接触面の面積は約３５ｍｍ２、３０ｍｍ２またはさらには２０ｍｍ２以下にすることができる。
【００１３】
さらに、接触面は、指の幅方向に略対応する方向に延びることができる第１寸法を有する。接触面はまた、指の厚み方向に略対応する方向に延びることができる第２寸法を有する。第１および第２の寸法は、接触面の面の広がりの大きい方の寸法および小さい方の寸法とすることができる。一実施形態では、第１寸法は第２寸法より大きい。例えば、第１寸法は３ｍｍから１２ｍｍの範囲にすることができる。ある実施形態では、第１寸法は４ｍｍから８ｍｍの範囲にすることができる。いくつかの実施形態では、第１寸法は５ｍｍ、６ｍｍ、またはさらには７ｍｍ以上にすることができる。ある実施形態では、第１寸法は１０ｍｍ、９ｍｍまたはさらには８ｍｍ以下にすることができる。第２寸法は０．０７５ｍｍから５ｍｍの範囲にすることができる。ある実施形態では、第２寸法は１ｍｍから２．５ｍｍの範囲にすることができる。いくつかの実施形態では、第２寸法は約０．１ｍｍ、０．２５ｍｍ、０．５ｍｍ、０．７５ｍｍまたはさらには１．５ｍｍ以上にすることができる。いくつかの実施形態では、第２寸法は約１．５ｍｍ、２ｍｍ、２．２５ｍｍ、３ｍｍ、またはさらには３．５ｍｍ以下にすることができる。
【００１４】
ある実施形態では、延長部分は、指の先端より０．５ｍｍ以上の距離だけ超え先端方向に接触面を配設する。いくつかの実施形態では、接触面は指の先端より０．１ｍｍ、０．２５ｍｍ、またはさらには０．７５ｍｍ以上の距離だけ超えて配設することができる。接触面は指の爪の露出した上面の上に第２寸法に対応する方向に約３ｍｍ以下だけ延びることができる。いくつかの実施形態では、接触面は爪の指の露出した上面の対応する隣接部分の上に、１ｍｍ、１．５ｍｍ、２ｍｍ、または２．５ｍｍ以下の距離だけ延びることができる。さらに、接触面は指の爪の露出した上面の下に第２寸法に対応する方向に約３ｍｍ以下だけ延びることができる。いくつかの実施形態では、接触面は指の爪の露出した上面の対応する隣接部分の下に、１ｍｍ、１．５ｍｍ、２ｍｍ、または２．５ｍｍ以下の距離だけ延びることができる。
【００１５】
ある実施形態では、スタイラスの接触面は、スタイラスがユーザの指に取り付けられたときに、ユーザの指の長さに対して１０度から９０度の角度に向けることができる。例えば、接触面の角度は、少なくとも部分的にユーザの選好またはスタイラスが使用されるアプリケーションに基づいて選ぶことができる。この点に関し、接触面の角度は、スタイラスを使用して静電容量式タッチパネルを操作するときに、ユーザの指が静電容量式タッチパネルに対して配設される角度を変えることができる。
【００１６】
別の実施形態では、スタイラスの第１寸法は、ユーザの指と嵌合されるときに、スタイラスによって操作することができる静電容量式タッチスクリーンに表示されるテキストの方向に対応する。そのため、第１寸法の向きを静電容量式タッチスクリーンに表示されるテキストの方向と対応した関係にすることで、スタイラスを使用するときにテキストを選択する（例、テキストに埋め込まれているハイパーリンクの選択）能力の向上を容易にする。
【００１７】
ある実施形態では、接触面は、変形可能であり、静電容量式タッチパネルと接触して静電容量式タッチパネルを操作するときに、静電容量式タッチパネルの表面に適合して接触するように変形する。接触面は、スタイラスを使用してパネルを操作するときに、静電容量式タッチパネルに接触するように構成されているスタイラスの導電性面部分とすることができる。
【００１８】
導電路は、例えば、金、銅、銀、アルミニウム、スチール、他の導電性金属、金属合金、金属コーティング、導電性ポリマー、導電性塗料、導電性フィルム、導電性接着剤、導電性テープ、透明導電性酸化物、およびそのあらゆる組み合わせからなる導電性材料の群から選択される材料を含む。ある実施形態では、スタイラスは基本的に導電性材料からなる。例えば、導電性材料は、例えば、ポリアセチレン、ポリピロール、ポリアニリンまたは前述のいずれかの共重合体など、本質的に導電性ポリマーとすることができる。導電性材料は、導電性添加剤の添加によって、導電率を促進する導電性添加剤を含むポリマーを含むことができる。ポリマーとともに導入して、導電率を促進することができる導電性添加剤の例には、カーボンファイバ、カーボンナノ粒子、銀およびニッケル被覆カーボンファイバ、あるいは銀またはニッケル被覆カーボンファイバ、ステンレススチールファイバおよびそのあらゆる組み合わせが含まれるが、それだけに限定されない。ある実施形態では、スタイラスはその本体に塗布される導電性薄膜を含む。例えば、導電性材料は、真空メタライゼーション、蒸着プロセス、電気めっき、箔押し、導電性塗料コーティング、または他の適切なコーティングプロセスなどのコーティングプロセスによってスタイラスに塗布することができる。スタイラスは射出成形または熱成形によって製造することができる。さらに、コモールディングおよびオーバーモールディングプロセスも同様に使用することができる。別の実施形態では、スタイラス機器は導電性材料（例、アルミニウムまたは同様な他の材料）から鋳造することができる。これらの製造プロセスのいずれかの組み合わせまたは変型を、スタイラスの製造に利用することができる。
【００１９】
延長部分は、スタイラスが指に取り付けられたときに、接触面を指の爪の先端縁を超えて配設するように構成することができる。例えば、接触面は指の爪の先端縁を約０．５ｍｍ以上超えて配設することができる。
【００２０】
ある実施形態では、スタイラスは、スタイラスが指に取り付けられたときに、指の爪の露出した上面の少なくとも一部に装着するための装着面を含むことができる。装着面は、スタイラスが指に取り付けられたときに、指の爪の露出した上面の実質的に全部に接触することができる。
【００２１】
追加でまたは代わりに、スタイラスは指に摺動装着するようになされた装着構造を含む。装着構造は指の少なくとも一部の周りに延びるような寸法にすることができる。そのため、装着構造は、スタイラスが指に取り付けられたときに、指に把持嵌合するようにすることができる。例えば、装着構造は第１および第２の対向する弧状突起を含むことができ、第１および第２の対向する弧状突起はそれぞれが自由端部分を含み、該自由端部分は離間して対向している。
【００２２】
さらに、取り付け動作は、スタイラスの装着面を指の爪の少なくとも一部（例、指の爪の露出した上面）に装着することを含む。取り付け動作は、代わりに、装着構造を指の先端部分に摺動可能に嵌合することを含む。ある実施形態では、操作は、接触面を静電容量式タッチパネルに接触した状態に維持しながら、静電容量式タッチパネルに対して接触面を移動させることを含み、移動動作中に静電容量式タッチパネルと指との間に電気的連絡が維持される。
【図面の簡単な説明】
【００２３】
【図１】静電容量式タッチパネル用スタイラスの実施形態の斜視図である。
【図２】図１に示す実施形態の上面図である。
【図３】図１に示す実施形態の側面図である。
【図４】スタイラスとともに使用するための指装着構造の様々な実施形態の底面図を含む。
【図５】ユーザの指に嵌合されるスタイラスの実施形態の断面図である。
【図６】スタイラスとともに使用するための接触面の様々な実施形態の斜視図を示す。
【図７Ａ】適合して変形可能な接触面の実施形態を示す。
【図７Ｂ】適合して変形可能な接触面の実施形態を示す。
【図８】機器の静電容量式タッチパネルを操作するためにユーザが使用しているときのスタイラスの実施形態の斜視図である。
【図９】静電容量式タッチパネル用スタイラスの別の実施形態の斜視図である。
【図１０】ユーザの指に嵌合された図９に示すスタイラスの実施形態の側面図である。
【図１１】ユーザの指に嵌合された図９に示すスタイラスの実施形態の上面図である。
【図１２】ユーザの指に装着可能な静電容量式タッチパネル用スタイラスの様々な実施形態を示す。
【図１３】ユーザの指に装着可能な静電容量式タッチパネル用スタイラスの様々な実施形態を示す。
【図１４】ユーザの指に装着可能な静電容量式タッチパネル用スタイラスの様々な実施形態を示す。
【図１５】ユーザの指に装着可能な静電容量式タッチパネル用スタイラスの様々な実施形態を示す。
【図１６】ユーザの指に装着可能な静電容量式タッチパネル用スタイラスの様々な実施形態を示す。
【図１７】ユーザの指に装着可能な静電容量式タッチパネル用スタイラスの様々な実施形態を示す。
【図１８】ユーザの指に装着可能な静電容量式タッチパネル用スタイラスの様々な実施形態を示す。
【図１９】ユーザの指に装着可能な静電容量式タッチパネル用スタイラスの様々な実施形態を示す。
【図２０】静電容量式タッチパネル用スタイラスのさらに別の実施形態を示す。
【発明を実施するための形態】
【００２４】
図１〜図３を参照すると、スタイラス１００の実施形態が示されている。スタイラス１００はその基端部に向かって配設されている指嵌合部分１０２と、スタイラス１００の先端部から先端方向に延びている延長部分１０４とを含む。指嵌合部分１０２は、ユーザの指に選択的に装着可能なようになされている。指嵌合部分１０２は、スタイラス１００がユーザの指に取り付けられたときに、ユーザの指と電気導通状態（例、ユーザの指の皮膚およびユーザの指の爪の一部、あるいはユーザの指の皮膚またはユーザの指の爪の一部と電気導通状態）にある。延長部分１０４はその先端部に接触面１０６を含む。延長部分１０４は、スタイラス１００がユーザの指に取り付けられたときに、ユーザの指の先端を超えて延びるようになされている。したがって、接触面１０６は、図８に示すように、スタイラス１００がユーザの指１６に取り付けられたときに、静電容量式タッチパネル１１２と接触するように構成されている。
【００２５】
続けて図１〜図３を参照すると、接触面１０６は導電性にすることができる。さらに、指嵌合部分１０２がユーザの指１１６に取り付けられたときに、接触面１０６とユーザの指１１６との間に電気的連絡を確立するために、接触面１０６と指嵌合部分１０２との間に導電路を設けることができる。例えば、図１〜図３に示す実施形態では、スタイラス１００の本体１０８は導電性材料から構成することができる。そのため、スタイラス１００の内面１１０は、スタイラス１００が指１１６に取り付けられたときに、ユーザの指１１６に接触する。したがって、導電路が接触面１０６とユーザの指１１６との間に確立されて、スタイラス１００の本体１０８を通る導電率を促進することができ、スタイラスがユーザの指に取り付けられたときに、本体１０８の内面１１０とユーザの指１１６との間の接触により、スタイラス１００とユーザの指１１６との間の電気的連絡が確立される。例えば、本体１０８は導電性ポリマー（例、ポリアセチレン、ポリピロール、ポリアニリン、前述のいずれかの共重合体、他の適切な導電性ポリマー、またはそのあらゆる組み合わせ）から構成することができる。さらに、本体１０８は、例えば、カーボンファイバ、カーボンナノ粒子、銀およびニッケル被覆カーボンファイバ、あるいは銀またはニッケル被覆カーボンファイバ、ステンレススチールファイバ、およびそのあらゆる組み合わせなど、導電性添加剤を含むポリマーを含むことができる。別の実施形態では、スタイラス１００は導電性コーティングを含む。例えば、スタイラス１００はスタイラス１００に導電性コーティングを塗布するために蒸着プロセスを施すことができる。さらに別の実施形態では、スタイラス１００は、例えば、アルミニウムなどの導電性材料から製造することができる。この点に関し、スタイラス１００は導電性材料から鋳造し、導電性材料からスタンプし、または導電性材料から他の方法で製造することができる。
【００２６】
追加でまたは代わりに、接触面１０６と指嵌合部分１０２との間に導電路を確立することができる。例えば、接触面１０６と指嵌合部分１０２との間に延びている電気導体（図示せず）を設けることができる。したがって、本体１０８は導電性でなくてもよい。電気導体は本体１０８に埋め込んでも、または本体１０８の表面に配設してもよい（例、コーティング、トレースまたは同様な他の形態で）。導電路は、本体１０８と一体であるか、または本体１０８とは異なる個別のエレメントとして設けられているかに関係なく、例えば、金、銅、銀、アルミニウム、スチールまたは金属合金などの導電性金属、導電性ポリマー、導電性添加剤を含むポリマー、導電性塗料、導電性フィルム、導電性接着剤、導電性テープ、透明導電性酸化物、およびそのあらゆる組み合わせからなる導電性材料の群から選択される材料を含むことができる。導電性接触面１０６と指嵌合部分１０２との間に延びる導電路は、図８に関して以下詳細に説明するように、静電容量式タッチパネルの操作のためにスタイラス１００の使用を可能にする。
【００２７】
続けて図１〜図３を参照すると、接触面１０６は、図８に示すように、スタイラス１００が指１１６に取り付けられたときに、ユーザの指１１６の幅方向と略対応する方向に延びている第１寸法１０５を有する。接触面１０６は、スタイラス１００が指１１６に取り付けられたときに、ユーザの指１１６の厚み方向に略対応する方向に延びている第２寸法１０７も有する。第１寸法１０５および第２寸法１０７は、接触面１０６の両端間の分離距離に対応する。
【００２８】
一実施形態では、第１寸法１０５は第２寸法１０７よりも大きくすることができる。例えば、第１寸法１０５は約４ｍｍ以上にすることができる。同じ実施形態において、第１寸法は５ｍｍ、６ｍｍ、またはさらには７ｍｍ以上にすることができる。一実施形態では、第１寸法１０５は約１２ｍｍ以下にすることができる。同じ実施形態において、第１寸法１０５は１０ｍｍ、９ｍｍ、またはさらには８ｍｍ以下にすることができる。一実施形態では、第２寸法１０７は約０．０７５ｍｍ以上にすることができる。同じ実施形態において、第２寸法１０７は約０．１ｍｍ、０．２５ｍｍ、０．５ｍｍ、０．７５ｍｍ、またはさらには１ｍｍ以上にすることができる。一実施形態では、第２寸法１０７は約１ｍｍ以下にすることができる。同じ実施形態において、第２寸法１０７は約１．５ｍｍ、２ｍｍ、２．２５ｍｍ、２．５ｍｍ、またはさらには３ｍｍ以下にすることができる。
【００２９】
接触面１０６は、使用時に静電容量式タッチパネル１１２に接触するように構成されている面積と定義することができる。ある実施形態では、接触面１０６の面積は約０．４ｍｍ２以上にすることができる。いくつかの実施形態では、接触面１０６は約１ｍｍ２、５ｍｍ２、７ｍｍ２、９ｍｍ２、１０ｍｍ２、１２ｍｍ２、１５ｍｍ２、１６ｍｍ２、またはさらには１８ｍｍ２以上の面積を有することができる。ある実施形態では、接触面１０６の面積は約２５ｍｍ２以下にすることができる。いくつかの実施形態では、接触面１０６の面積は約３５ｍｍ２、３０ｍｍ２、またはさらには２０ｍｍ２以下にすることができる。いずれに関しても、接触面１０６の面積は、接触面面積１０６が静電容量式タッチパネル１１２に適切に接触しているときに、静電容量式タッチパネル１１２に作用するのに十分な寸法にできる。「静電容量式タッチパネルに作用する」とは、静電容量式センサの静電容量が入力として解釈されるのに十分な程に変わることを意味する（例、静電容量式タッチパネルに設けられている電子機器により）。静電容量式タッチパネルに作用するために静電容量式タッチパネルに接触する最低面積の閾値は、様々な機器によって異なることが分かっている。約１６ｍｍ２以上の接触面１０６の面積が、様々な供試機器の静電容量式タッチパネルの大半に作用するように作動するようであることが分かっている。例えば、様々な寸法の接触面を様々な機器の静電容量式タッチパネルに接触させて、静電容量式タッチパネルへの表面積の接触が入力として解釈されるかどうかを判定する試験を実施した。試験結果を以下の表１にまとめた。「ｙ」はタッチが機器により入力として解釈されたことを示し、「ｎ」はタッチが機器により入力として解釈されなかったことを示す。
【００３０】
【表１】
2014530432.tif 000003
図６を参照すると、接触面１０６の輪郭の実施形態の様々な実施例が示されている。適切な接触面の輪郭であればどのようなものも設けることができる。例えば、接触面１０６は略三日月形輪郭１４０を有することができる。三日月形輪郭１４０は上側弧１４６と下側弧１４８とを含むことができる。上側弧１４６および下側弧１４８は実質的に平行であっても、または異なる曲率を有していてもよい。ある変型例において、下側弧１４８は曲率のない実質的に直線（例、線）にすることができる。接触面１０６は直線で囲まれた輪郭１４４を有することもできる。さらに、接触面１０６は、方形の辺の交点を丸めて図６の１４２で示されるような輪郭を形成する略方形とすることができる。さらに、例えば、楕円形または卵形輪郭など、接触面１０６の他の形状を設けることもできる。
【００３１】
さらに図５を参照すると、ユーザの指１１６に嵌合されたスタイラス１００の断面図が示されている。指１１６は一般に、指１１６の下面に延びている指１１６の表面に対応する指腹１２０と、指１１６の先端１１８とを含む。指１１６は指の爪１２２も含む。指の爪１２２は露出した上面１２４を含む。指の爪１２２は先端縁１２６も含む。認識できるように、指の爪１２２の先端縁１２６は、図５に示すように指１１６の先端１１８を超えて先端方向に延びていることがある。
【００３２】
一実施形態では、スタイラス１００は指１１６に摺動可能に取り付けることができる。この点に関し、指嵌合部分１０２は指１１６の先端部の少なくとも一部を取り囲むことができる。例えば、スタイラス１００の本体１０８は、本体１０８が指１１６の先端部の周りに延びて、指１１６を把持嵌合するように、指１１６と摺動嵌合するのに適した寸法にできる。この点に関し、スタイラス１００の本体１０８は、指１１６に対してスタイラス１００の把持嵌合に対応できる弾性材料から構成することができる。追加でまたは代わりに、スタイラス１００は異なる大きさの指１１６を収容するように多様な寸法で提供することができる。
【００３３】
さらに図４を参照すると、スタイラス１００について例示的な指装着構造１２８、１３０、１３２の様々な実施形態が示されている。装着構造１２８の一実施形態は、スタイラスが指１１６に取り付けられたときに、指１１６の先端部分の周りに連続して延びるようになされたスタイラス１００の本体１０８を備える。別の装着構造１３０はスタイラス１００の本体１０８を貫通している開口１３４を含む。開口１３４は、スタイラス１００がユーザの指１１６に取り付けられたときに、指１１６の腹１２０に隣接して設けられる。したがって、スタイラス１００の本体１０８が腹１２０を覆わないようにできる。さらに、装着構造１３２はユーザの指１１６にスタイラス１００を装着するために設けることができる。装着構造１３２は、スタイラス１００が指１１６に取り付けられたときに、ユーザの指１１６の少なくとも一部の周りに延びるようになされた対向する弧状突起１３６を含む。対向する弧状突起１３６は、互いに離間した各自由端部分１３８を含む。そのため、弧状突起１３６は自由端部分１３８が互いに遠ざかったり近づいたりすることができる弾性材料から構成することができる。また、装着構造１３２がユーザの指１１６と摺動嵌合するときに、弧状突起１３６が撓むことにより異なる大きさの指１１６を収容することができる。
【００３４】
図５を参照すると、延長部分１０４は、スタイラス１００が指１１６に取り付けられたときに、指１１６の先端１１８を超えた位置に接触面１０６を配設することができる。例えば、接触面１０６は指１１６の先端１１８より０．１ｍｍ、０．２５ｍｍ、０．５ｍｍ、またはさらには０．７５ｍｍ以上の距離だけ超えて配設することができる。また、接触面１０６は指の爪１２２の露出した上面１２４の上および下、あるいは上または下に延びることができることは、図５から認識されるであろう。露出した上面１２４の「上に延びる」および「下に延びる」とは、接触面１０６が指の爪１２２の露出した上面１２４の対応する隣接部分の上または下に延びることを意味する。例えば、接触面１０６は、先端縁１２６に隣接した指の爪１２２の露出した上面１２４の対応する隣接部分の上または下に延びることができる。例えば、接触面１０６は、指の爪１２２の露出した上面１２４の対応する隣接部分より、１ｍｍ、１．５ｍｍ、２ｍｍ、２．５ｍｍ、またはさらには３ｍｍ以下の距離だけ上に延びることができる。追加でまたは代わりに、接触面１０６は指の爪１２２の露出した上面１２４の対応する隣接部分より、１ｍｍ、１．５ｍｍ、２ｍｍ、２．５ｍｍ、またはさらには３ｍｍ以下の距離だけ下に延びることができる。
【００３５】
また、延長部分１０４は指の爪１２２の先端縁１２６を超えて接触面１０６を配設することができる。例えば、延長部分１０４は、指の爪１２２の先端縁１２６より、約０．１ｍｍ、０．２５ｍｍ、０．５ｍｍ、またはさらには０．７５ｍｍ以上の距離だけ超えて接触面１０６を配設することができる。
【００３６】
さらに、図７Ａおよび図７Ｂから認識できるように、接触面１０６は変形可能にすることができる。図７Ａは適合して変形可能な接触面１０６を備えるスタイラス１００の実施例を示す。接触面１０６は、図７Ｂに示すように、静電容量式タッチパネル１１２の表面と接触したときに、それに適合接触するように変形する。この点に関し、接触面１０６は、静電容量式タッチパネルと適合接触状態にある延長部分１０４の先端の部分と定義することができる。そのため、接触面１０６に関して上記述べた寸法は、接触面１０６が静電容量式タッチパネルの静電容量式センサに作用するのに十分な静電容量式タッチパネルに対するスタイラス１００の接触によって変形するとき、静電容量式タッチパネルと適合接触状態にある接触面１０６の部分に対応する。また、接触面１０６に関して上記述べた寸法は、静電容量式タッチパネルと適合接触するように変形する接触面１０６の部分に対応するその非変形状態の接触面１０６の表面に沿って延びている距離および面積ということもできる。
【００３７】
図８を参照すると、機器１１４（例、スマートフォン）の静電容量式タッチパネル１１２と使用中に、ユーザの指１１６に取り付けられたスタイラス１００が示されている。この点に関し、接触面１０６は静電容量式タッチパネル１１２と接触状態となる。接触面１０６が導電路および指嵌合部分１０２によってユーザの指１１６と電気的連絡状態にあるとき、接触面１０６は静電容量式タッチパネル１１２の静電場を変えることによって静電容量式タッチパネル１１２の静電容量式センサに作用する。この点に関し、接触面１０６が静電容量式タッチパネル１１２に接触している位置は変えることができ、静電容量式タッチパネル１１２はスタイラス１００を使って操作することができる。さらに図８から認識できるように、ユーザの指１１６は、有利なことに、静電容量式タッチパネル１１２を操作するためにスタイラス１００を使用中に、静電容量式タッチパネル１１２に対して垂直またはほぼ垂直にすることができる。そのため、スタイラス１００は、静電容量式タッチパネル１１２を操作するために指１１６の先端１１８を使用しているときに遮られるよりも、静電容量式タッチパネル１１２のかなり大きな部分を遮らないようにすることができる。
【００３８】
さらに、スタイラス１００は、第１寸法１０５が静電容量式タッチパネル１１２に表示されるテキストの向きに略整列するように、静電容量式タッチパネル１１２に対して配向できる。この点に関し、第２寸法１０７よりも大きい第１寸法１０５で画成される接触面１０６の形状は、接触面１０６が静電容量式タッチパネル１１２に表示される行内のテキストを選択できるようになる。例えば、テキストに設けられた埋め込みハイパーリンクは、テキストからハイパーリンクを選択するために上記説明したように接触面１０６を備えるスタイラス１００を使用してより容易に選択可能にすることができる。このことは、よく表示されるようにテキストの隣接行にハイパーリンクが配置されている場合には特に当てはまるであろう。
【００３９】
図９〜図１１を参照すると、スタイラス２００のさらなる実施形態が示されている。スタイラス２００は指嵌合部分２０２と、指嵌合部分２０２から先端方向に延びている延長部分２０４とを含む。スタイラス２００は接触面２０６も含む。
【００４０】
スタイラス２００の指嵌合部分２０２は、自由端部分２３８を備える対向する弧状突起２３６を有する装着構造２３２を含む。この点に関し、指装着構造２３２は図４に関して上記述べた指嵌合構造１３２と同様に機能する。さらに、スタイラス２００の実施形態はスタイラス１００に関して上記説明した特徴のいずれかまたは全部を組み込むことができる。例えば、接触面２０６は、接触面１０６に関して説明した特性のいずれかまたは全部を含む。
【００４１】
図１２〜図１９を参照すると、ユーザの指１１６（例、指の爪１２２）に装着可能なスタイラス（例、２５０、２６０、２７０）のさらなる実施形態が示されている。スタイラス（２５０、２６０、２７０）はユーザの指１１６および指の爪１２２、あるいはユーザの指１１６または指の爪１２２に装着して、長期間（つまり、上記説明したスタイラス１００、２００よりも長い期間）装着したままにすることができる。そのため、スタイラス（２５０、２６０、２７０）は、例えば、接着剤を使用して、ユーザの指１１６に永久的にまたは半永久的に装着することができる。スタイラス（２５０、２６０、２７０）は、その寸法および形状、あるいはその寸法または形状がユーザによって行われる他の作業（例、タイピング、筆記、他の日常作業等）を実質的に妨げないように提供することができる。
【００４２】
図１２を参照すると、露出した上面１２４および先端縁１２６を有する指の爪１２２を備える指１１６の斜視図である。図１３は指の爪１２２に基材２５２が付けられた状態の指１１６を示す。指の爪の先端縁１２６は、静電容量式タッチパネルに接触するとき、静電容量式タッチパネルの静電容量式センサに作用するのに十分な接触面積にならないことがある。また、指の爪１２２の導電率は、静電容量式タッチパネルの静電容量式センサに作用するのに十分ではないこともある。この点に関し、静電容量式タッチパネルの静電容量式センサに作用するのに十分な寸法の先端面２５４を画成するように、指の爪１２２に基材２５２を付けることができる。基材２５２は、以下詳しく説明するように、導電性接触面を支持するプラットフォームとしての役割を果たす。
【００４３】
図１３および図１４はスタイラス２５０の一実施形態を示す。図１４は、図１５に示す分解図の切断線１３−１３に沿って切断した組み合わされた状態の断面図を示す。この点に関し、基材２５２は指の爪１２２の露出した上面１２４に付けて、指の爪１２２の先端縁１２６に利用可能な面積よりも大きな面積の先端面２５４を提供する。基材２５２には導電性材料２５６を付けることができる。導電性材料２５６は先端面２５４を覆って、スタイラス２５０の接触面２５８を画成することができる。導電性材料２５６は指１１６と接触状態にすることもでき、接触面２５８と指１１６との間に導電路を設けることができる（例、導電性材料２５６の指嵌合部分１２０に）。したがって、接触面２５８が静電容量式タッチパネルに接触するとき、静電容量式タッチパネルを操作できるようにその静電容量式センサに作用することができる。接触面２５８は、接触面１０６に関して上記述べた属性または特徴のいずれも含むことができる。
【００４４】
代わりに、図１６および図１７に示すように、導電性材料２６４を含むスタイラス２６０を提供することができる。図１６は、図１７に示す分解図の切断線１５−１５に沿って切断した組み合わされた状態の断面図を示す。スタイラス２６０は指の爪１２２の露出した上面１２４に装着することができる。例えば、スタイラス２６０は接着剤（例、導電性接着剤）によって露出した上面１２４に装着することができる。そのため、導電性材料２６４によって画成される接触面２６２が指１１６と電気的連絡状態になるように、スタイラス２６０を通る導電路を設けることができる。したがって、スタイラス２６０が指１１６に取り付けられて、接触面２６２が静電容量式タッチパネルと接触するとき、静電容量式タッチパネルの静電容量式センサに作用することができる。接触面２６２は、接触面１６０に関して上記述べた特性の属性のいずれも含むことができる。
【００４５】
図１８および図１９はスタイラス２７０の別の実施形態を示す。図１８は、図１９に示す分解図の切断線１８−１８に沿って切断した組み合わされた状態の断面図を示す。スタイラス２７０は基材２５２と導電性材料２５６とを含むことができる。基材２５２および導電性材料２５６は、指の爪１２２に装着する前に接合することができる。導電性材料２５６は、接触面２５８と指１１６との間に導電路を確立するように指１１６に接触することができる。
【００４６】
スタイラス２５０、２６０、２７０は、指の爪１２２に装着したときに、爪の露出した上面１２４の少なくとも一部をスタイラス２５０、２６７、またはスタイラス２７０によって覆うことができるように、指の爪１２２の露出した上面１２４に付けることができる。また、指の爪１２２に装着したときに、露出した上面１２４の略全部をスタイラス２５０、２６０、またはスタイラス２７０によって覆うことができる。スタイラス２５０、２６０、２７０は接着剤（例、導電性接着剤）または同様な手段によって指の爪１２２に装着することができる。また、スタイラス２５０、２６０、２７０は、例えば、付け爪技術で周知の付け爪に利用できるものと同様な着色をし、または装飾的な特徴を含むことができる。例えば、スタイラス２５０、２６０、またはスタイラス２７０は、追加アクセサリを含むことができるキットで提供することができる。ある実施例では、導電性材料２５６は基材２５２とともにキットで提供することができる。そのため、キットは指の爪１２２に装着するための基材２５２と導電性材料２５６とを含むことができる。基材２５２および導電性材料２５６が指の爪１２２に装着する手順の一部としてすぐに接合された状態になるように、基材２５２および導電性材料２５６は予め接合した構成でまたは個別でキットとして提供することができる。キットは指の爪の追加アクセサリ（例、マニキュア液、接着剤、爪の手入れ用品等）を含むこともできる。
【００４７】
さらに図２０を参照すると、指の爪の露出した上面に付けることができる（例、上記説明したスタイラス２５０、２６０、またはスタイラス２７０と同様に）スタイラス３００のある実施形態が示されている。スタイラス３００はその先端部分に配設されている接触面３１０を有する。接触面３１０は一般に前述の実施形態のいずれかの接触面に関して上記説明した特徴（例、寸法等）のいずれも含むことができる。スタイラス３００は接触面３１０に隣接して肉厚部分３４０を含むこともできる。肉厚部分３４０により、接触面３１０が上記説明したように静電容量式タッチパネルを操作するのに十分な表面積をもてるようになる。
【００４８】
スタイラス３００は、接触面３１０に対向するスタイラス３００の基端部に配設されている指嵌合部分３５０も含む。指嵌合部分３５０は、指の爪の露出した上面に接触してそれに固定することができる嵌合面３３０を含むことができる。この点に関し、嵌合面３３０は、指の爪の露出した上面とスタイラス３００との間の電気的連絡を促進する。嵌合面３３０は、少なくともいくつかの実施形態では、接着剤によってユーザの指の爪に固定することができる。例えば、感圧式接着剤を使用して、スタイラス３００をユーザの指の爪に固定することができる。接着剤はスタイラス３００を付ける時点で嵌合面３００に塗布しても、または嵌合面３３０に予め塗布してもよい。例えば、保護シート（図示せず）を嵌合面３３０から除去して、予め塗布した接着剤を露出させることができる。スタイラス３００をユーザの指の爪に固定するために使用する接着剤は導電性にすることができる。
【００４９】
スタイラス３００は、ユーザの指の爪に対するスタイラス３００の位置合わせを助けることができる位置合わせ特徴を含むこともできる。例えば、位置合わせ特徴はスタイラス３００に画成される隆起部３４２を備える。隆起部３４２はユーザの指の爪に対してスタイラス３００を位置合わせするように、指の爪の先端縁に接触する。この点に関し、スタイラス３００がユーザの指の爪に固定されるとき、隆起部３４２は指の爪の先端縁に当たり、接触面３３０が指の爪の露出した上面に付着する。そのため、指の爪に対するスタイラス３００の相対的な配置は、指の爪の先端縁に対する隆起部３４２の位置合わせによって定めることができる。前述の説明は例示と説明のために、本明細書に記載される教唆を実施するために企図される最良の態様を開示するために提示してきた。前述の事項は、本明細書に記載される請求の範囲を具体的に開示する形態または複数の形態にのみに制限するものではない。明細書には１以上の実施形態および一定の変型および変更の説明を記載してきたが、例えば本開示を理解した後で当業者の技能および知識の範囲内になるような他の変型および変更も本開示の範囲内である。本明細書に開示されているかどうかを問わず、また特許性のある対象を公共に捧げる意図なく、請求されるものと代替、交換可能および同等な構造、あるいは交換可能または同等な構造、機能、範囲またはステップを含め、代替実施形態を含む権利を認められる範囲まで取得することが意図される。また、開示した態様、実施形態、実施態様、変型または構成に関して説明する特徴は、いずれか他の態様、実施形態、実施態様、変型または構成の１以上の特徴とあらゆる組み合わせで組み合わせることができる。
【図１】
2014530432.tif 000004
【図２】
2014530432.tif 000005
【図３】
2014530432.tif 000006
【図４】
2014530432.tif 000007
【図５】
2014530432.tif 000008
【図６】
2014530432.tif 000009
【図７Ａ】
2014530432.tif 000010
【図７Ｂ】
2014530432.tif 000011
【図８】
2014530432.tif 000012
【図９】
2014530432.tif 000013
【図１０】
2014530432.tif 000014
【図１１】
2014530432.tif 000015
【図１２】
2014530432.tif 000016
【図１３】
2014530432.tif 000017
【図１４】
2014530432.tif 000018
【図１５】
2014530432.tif 000019
【図１６】
2014530432.tif 000020
【図１７】
2014530432.tif 000021
【図１８】
2014530432.tif 000022
【図１９】
2014530432.tif 000023
【図２０】
2014530432.tif 000024
【国際調査報告】
2014530432.tif 000025
2014530432.tif 000026